(57)【要約】      （修正有）【課題】御朱印帳、アルバム、スケッチ帳などに利用でき、旅行のガイドブックに利用できる蛇腹式の記録帳を提供する。【解決手段】蛇腹式記録帳の用紙の裏面を活用し、表面に記録するものに関する種々の情報を裏面に記録することで、蛇腹を広げた際に、表面または裏面に記録したものを一度に見ることができるとともに、御朱印、写真、スケッチなどの訪問先の記録をすることのできる旅行用のガイドブックとなり得る。【選択図】図４
2019059219.tif 000002
【特許請求の範囲】
【請求項１】
記録用紙の表面と裏面に記録できる蛇腹式記録帳であって、表面に記載する事柄に関係する情報を、記録面の裏面に記録することを特徴とする蛇腹式記録帳
【請求項２】
前項の蛇腹式記録帳を御朱印帳、アルバム、スケッチ帳に用いる場合の裏面に記載する情報が、住所、地図、氏名、名称、年月日、由来、由緒、その他、表に記録するものに関する情報、及び／又は、表面に記録するものに関する情報をインターネット上で閲覧できるホームページなどのアドレスを保存したＱＲコードであることを特徴とする蛇腹式記録帳
【請求項３】
蛇腹式記録帳の裏面の１頁から順に訪問先の場所の情報を記載することで、蛇腹式記録帳の裏面を広げた時に、訪問先の順番と場所を同時に確認することのできることを特徴とした請求項１および請求項２の蛇腹式記録帳
【発明の詳細な説明】
【技術分野】
【０００１】  御朱印帳、アルバム、スケッチ帳などに利用でき、旅行のガイドブックに利用できる蛇腹式の記録帳に関するもの
【背景技術】
【０００２】  蛇腹式記録帳は、御朱印帳（実用新案登録第３２０３６３３号）、家系図帳、地図帳（実用新案登録第３０１６０９９号）などに利用されている。蛇腹式記録帳は、携帯性に優れている上に、蛇腹をすべて広げることにより、記録した内容を同時に見ることができるという特徴がある。【０００３】  既存の御朱印帳の中には、御朱印帳を開いた際、右面に神社仏閣の名称と説明が予め印字されており、左面に訪問した神社仏閣の御朱印を授与してもらうという形式の御朱印帳が存在する。【０００４】  旅行のためのガイドブックには、蛇腹式を利用し、蛇腹を広げることで地図の全容を見ることができるように工夫したものがある（特開２００５−３４５８６３）。
【先行技術文献】
【特許文献】
【０００５】
【特許文献１】実用新案登録第３２０３６３３号
【特許文献２】実用新案登録第３０１６０９９号
【特許文献３】特開２００５−３４５８６３
【特許文献４】特開平１１−７８２９３
【発明の概要】
【発明が解決しようとする課題】
【０００６】  蛇腹式記録帳は、蛇腹をすべて広げれば、記録した御朱印、写真、スケッチ等を一度に見ることができるが、御朱印、写真、スケッチ等を記録する面に、付加的な情報を記録する記録領域は少なく、蛇腹を広げて記録した内容を見る際、付加的な情報を同じ面に記載していると、見づらくなったり、鑑賞性が低下したりするという問題があった。【０００７】  記録するものに関する情報、例えば、住所、地図、氏名、名称、年月日、由来、由緒など、できるだけ多く情報を記録しておくことにより、表面に記録するものについての理解が深まるとともに、事後になっての思い出としての価値が高まるので、できるだけ多く付加的情報を記録できるのが望ましい。【０００８】  また、旅行用のガイドブックには、空白の頁や印刷のない領域に簡単なメモ程度はできるが、例えば、訪問先ごとに御朱印を受理でき、アルバムとして写真を貼り付けられ、スケッチ画を描けるというようなスペースを設けたものはなかった。
【課題を解決するための手段】
【０００９】  蛇腹式の記録帳は、細長い短冊の用紙を折り曲げて作成され、多くの場合、表面のみを記録用紙として用いてきた。そのような蛇腹式の記録帳の用紙の裏面を活用し、表面に記録するものに関する情報を裏面に記録することで、付加的情報を多く記録できるようになるとともに、蛇腹を広げた際に、表面に記録したものを一度に見ることができ、鑑賞性を高めることができる。【００１０】  また、蛇腹式記録帳の裏面に記載する住所、地図、氏名、名称、年月日、由来、由緒等を、何らかの方法で整理した順番で記載することにより、蛇腹式記録帳の裏面を全て広げた時には、整理して記載した内容を一度に確認でき、記載された内容を比較しやすくなる。【００１１】  表面に記録するものに関する情報を裏面に記録する蛇腹式記録帳において、関係のある表面と裏面を容易に見出せるようにすることが望ましいが、クリップないしは磁石式しおり（特開平１１−７８２９３）を用いることにより、表面の頁と、それに関係する裏面の頁を容易に見出すことができるようになる。【００１２】  蛇腹式の記録帳の表面は縦書きとすることで、記録帳を左から右に頁を繰るのに適し、裏面は横書きとすることで、記録帳を右から左に頁を繰るのに適する。そして、この方法で記載することで、表面の２頁目は、裏面の２頁目に対応することになる（例えば、図４の１ａ−２の裏面が同図の１ｂ−２に対応する）。
【発明の効果】
【００１３】  蛇腹式記録帳の裏面に表面に記録するものに関する情報を記載することで、付加的な情報を多く記録できるようになる。裏面に記録した情報により、表面に記録することへの興味をより深めることができるようになる。また、蛇腹式記録帳の裏面に記載した情報には邪魔されず、表面を広げたときに表面の記録を同時に見ることができるようになり、例えば、額に飾り、又は、表装することが容易になり、鑑賞物としやすくなる。【００１４】  蛇腹式記録帳の表に記録するものが、御朱印、写真、スケッチ等の場合、裏面に、予め訪問する場所を決めておき、その場所の由緒や地図、その他の情報を記載しておくことで、表面に記録する場所へ行きやすくなるとともに、記録するものへの興味をより深めることができる。さらに、思い出の記録帳として保存した場合に、裏面の記録を参考にして表面の記録したものを思い出しやすくする効果がある。【００１５】  蛇腹式記録帳の裏面に予め訪問する場所の名称と情報を印字しておくことで、旅行用のガイドブックとして利用ができる。特に、訪問先の場所を何らかの基準で選択し、例えば、効率的に訪問先を訪問できる順番などで訪問先とその情報を印刷しておけば、裏面を向けて蛇腹を広げた時に、訪問する順番と地図上での位置、および、訪問先の特徴を同時に確認することができるようになる。
【図面の簡単な説明】
【００１６】
【図１】考案した蛇腹式記録帳を、御朱印帳を例にとり説明した図。上図Ａが御朱印帳の表面の斜視図を、下図Ｂが裏面の斜視図を示す。
【図２】当該蛇腹式記録帳の記録部分の表裏の関係を、御朱印帳を例にとり説明した図。左図Ａは表面２頁目１ａ−２のイメージであり、二番目の訪問先の名称○○寺４ａ−２が印字されており、頁の中央領域に御朱印５−２を受領する。右図Ｂは裏面２頁目のイメージであり、訪問先の名称○○寺４ｂ−２、とその情報（由緒と住所とアクセス方法６−２、地図７−２、ＱＲコード８−２を印刷し、メモ領域９−２を有する。他のページも同様の構成とする。
【図３】蛇腹式記録帳の裏面の１頁目１ｂ−１に、訪問先の名称４ｂ−１、その由緒と住所とアクセス方法６−１、地図情報７‘−１を印刷し、２頁目以降も同様の情報を印刷することで、旅行用ガイドブックとした当該蛇腹式記録帳の例
【図４】考案した蛇腹式記録帳を使用する際に有効な磁石式のしおり１０の使用例を、御朱印帳を例として示した図
【発明を実施するための形態】
【００１７】  考案した蛇腹式記録帳についての形態を、御朱印帳を例に説明する。
【００１８】  記録部分が小さくとも用紙サイズＡ６（１４８ｍｍ×１０５ｍｍ）程度、大きくともＢ５（２５０ｍｍ×１７６ｍｍ）程度のサイズになるよう折り曲げて、蛇腹にした短冊の用紙に表紙２と裏表紙３を取り付けたものを御朱印帳とする。表紙と裏表紙は厚紙などしっかりとした素材を用い、表紙には御朱印帳と記載する。短冊の用紙を折りたたむ数は、集める御朱印の数に応じて増減させることができる。
【００１９】  御朱印帳を作るに際し、御朱印を受理する神社仏閣を複数種類、何らかの基準で選択し、効率的に訪問できる順序などで番号を決める。
【００２０】  御朱印帳の表面の各頁には、予め右肩あたりに神社仏閣の番号と訪問先の名称を印字しておく。例えば、記録用紙２頁目１ａ−２には、図２のＡの図解のように、神社仏閣の名称４ａ−２を印字しておき、神社仏閣に行って御朱印５−２を受理する。神社仏閣の情報については、裏面に予め印字しておく。例えば、図２のＢで図解したように、神社仏閣の番号と名称４ｂ−２を、その下に神社仏閣に関する情報６−２を印字しておく。情報としては神社仏閣の由緒、住所、アクセス方法を記載する。その他、有用と思われる情報として、有名な理由、仏像の名称、ご本尊、宗派などを印字してもよい。神社仏閣の位置がわかる地図７−２を印刷することもできる。神社仏閣の情報をインターネット上で閲覧できるホームページなどのアドレスを保存したＱＲコード８−２なども掲載することもできる。また、実際に訪問したときの印象や、神職や住職のお名前などを記載することのできるメモ領域９−２を設けておくこともできる。
【００２１】  御朱印帳の表面の記載は、頁を右から左に繰るため、神社仏閣の名称４ａ−１で示したように縦書きであることが適している。一方、裏面の記載は、頁を左から右に繰るため、神社仏閣の名称４ｂ−２、由緒や住所６−２で示したように横書きが適している。裏面記載は、日本語のみならず、英語、中国語、韓国語などの外国語であっても良い。
【００２２】  御朱印帳の裏面の各頁に、訪問する神社仏閣の名称、その神社仏閣の情報、アクセス方法、地図を印刷し、旅行用のガイドブックとしたイメージを図３に示す。１頁には、旅行の最初に訪問する○○寺の番号と名称４ｂ−１、○○寺の情報（由緒、住所、アクセス方法）６−１、地図７‘−１を、２頁には２番目に訪問する△△寺の番号と名称４ｂ−２、△△寺の情報６−２、地図７’−２を印刷し、３頁以降も同様に印刷する。地図は、各頁に同じ地域の地図を示し、その頁の神社仏閣の地図上の位置をその神社仏閣の番号で記載する（図３の地図は、図２の地図７−２とは異なる方法で描いたもの）。これにより、蛇腹の裏面を広げた時に、図３のように、全ての頁を見ることができ、地図を比較することで、どういう順路で訪問先の神社仏閣を巡るかを確認しやすくなる。
【００２３】  表面の御朱印を頂戴する頁を開ける時や、神社仏閣の情報を確認する時には、御朱印帳の蛇腹をすべて広げるのではなく、必要箇所を開くのが通常である。その際、どこを開いて良いかが分かるように、しおりを用いるのが良い。特に、当該蛇腹式記録帳では、神社仏閣の御朱印をもらう表面と、神社仏閣の情報を記載した裏面とを対応させる必要がある。そのため、図３で図示した磁石式しおり１０、又は、クリップを用いて記録用紙１ａ−２、１ｂ−２を挟むことで、表側からも裏側からも、御朱印を開けるべき位置を容易に見つけられるようになる。
【００２４】  御朱印帳に収集する神社仏閣の選択の基準として、例えば、８月２２日、２３日に習慣的に行われている京都の六地蔵巡りというものがあり、六地蔵のある寺院の情報と地図を御朱印帳の裏面に予め印刷し、６個所全ての御朱印を集めることを目的とした御朱印帳を作ることができる。その他にも、人気のある神社仏閣を複数個所廻る御朱印帳、通称寺で知られる寺院を廻る御朱印帳などは、旅行用のガイドブックとすることができる。
【００２５】  選択した神社仏閣を御朱印帳に記載する順番としては、前述のように、効率的に神社仏閣を巡ることのできる順番であっても良いし、由緒の古い順番、歴史が理解しやすいような順番、有名な順番などにしても良い。
【００２６】  当該蛇腹式記録帳は、御朱印以外にも、訪問した先の写真を貼り付けるアルバムとして、訪問した先でスケッチするスケッチブックとして利用することができ、旅行の思い出を残すことのできるガイドブックとして利用できる。
【００２７】  当該蛇腹式記録帳は、表面に有名人のサイン帳を記載し、裏面に有名人の氏名、サインをもらった年月日と場所を記載し、有名人の写真を貼り付けることなどにも利用することができる。
【００２８】  当該蛇腹式記録帳は、表に記載するものの情報を裏に記録する記録帳として、例えば、表面に問題を、裏面に回答を記載した勉学のための問題集としても利用できる。さらには、表面の絵画を裏面で説明する紙芝居のようなものにも利用できる。
【産業上の利用可能性】
【００２９】  蛇腹式の記録帳の裏面に、訪問すべき場所の由緒や地図等を記載し、及び／又は、ＱＲコードで別途記録された情報を携帯端末等で検索をして調査できるようにし、訪問した先で授与される御朱印やスタンプ、サイン、写真、スケッチ画等を表面に載せることで、訪問したことの記録を残すことのできる旅行のガイドブック、アルバム、旅行携帯品としての利用が考えられる。
【符号の説明】
【００３０】１  記録用紙。１ａは表面、１ｂは裏面、ハイフンの後ろの数字は頁を表す
２  表紙
３  裏表紙
４  神社仏閣の番号と名称。４ａは表面の記載、４ｂは裏面の記載、ハイフンの後ろの数字は頁を表す
５  御朱印。ハイフンの後ろの数字は頁を表す
６  神社仏閣の情報（由緒、住所、アクセス方法等）。ハイフンの後ろの数字は頁を表す
７  地図。ハイフンの後ろの数字は頁を表す
７‘  ７とは異なる方法で記載した地図。ハイフンの後ろの数字は頁を表す
８  ＱＲコード。ハイフンの後ろの数字は頁を表す
９  自由に記載できるメモ領域。ハイフンの後ろの数字は頁を表す
１０  磁石式しおり
【図１】
2019059219.tif 000003
【図２】
2019059219.tif 000004
【図３】
2019059219.tif 000005
【図４】
2019059219.tif 000006